(57)【要約】【課題】  排出通路の弁室側のシール面とフロートとの間に噛み込んだ異物を取除くことができるフロート式スチームトラップを提供する。【解決手段】  本体１と蓋２で弁ケーシングを形成する。弁ケーシングに入口５と弁室４と出口７を形成する。弁室４の下部に弁座部材９を取り付ける。弁座部材９に弁室４を出口７側に連通する排出通路８を形成する。弁室４内に弁座部材９に離着座して排出通路８の弁室４側を開閉するフロート１１を配置する。排出通路８の出口側に感温部材１３と弁体１４を配置する。感温部材１３の変形作用により弁体１４を駆動して排出通路８の出口７側を低温時に開き蒸気漏出による高温時に閉じる。【選択図】      図１
2007218330.tif 000002
【特許請求の範囲】
【請求項１】
弁ケーシングで入口と弁室と出口を形成し、弁室の下部に弁座部材を取り付け、弁座部材に弁室を出口側に連通する排出通路を形成し、弁室内に弁座部材に離着座して排出通路の弁室側を開閉するフロートを配置したものにおいて、排出通路の出口側に感温部材と弁体を配置し、感温部材の変形作用により弁体を駆動して排出通路の出口側を低温時に開き蒸気漏出による高温時に閉じることを特徴とするフロート式スチームトラップ。
【発明の詳細な説明】
【技術分野】
【０００１】
本発明は、蒸気配管系に発生するドレンをフロートの浮上降下によって自動的に排出するフロート式スチームトラップに関する。
【背景技術】
【０００２】
従来のフロート式スチームトラップは、弁ケーシングで入口と弁室と出口を形成し、弁室の下部に弁座部材を取り付け、弁座部材に弁室を出口側に連通する排出通路を形成し、弁室内に弁座部材に離着座して排出通路の弁室側を開閉するフロートを配置したものである。
【０００３】
上記従来のフロート式スチームトラップおいては、フロートが離着座して開閉する排出通路の弁室側のシール面とフロートとの間に流体中のゴミやスケール等の異物を噛み込むと、フロートが排出通路の弁室側を完全シールする全閉位置に変位できず、蒸気を漏出してしまうという問題点があった。
【特許文献１】特開２００２−２７６８９３
【発明の開示】
【発明が解決しようとする課題】
【０００４】
解決しようとする課題は、排出通路の弁室側のシール面とフロートとの間に噛み込んだ異物を取除くことができるフロート式スチームトラップを提供することである。
【課題を解決するための手段】
【０００５】
本発明は、弁ケーシングで入口と弁室と出口を形成し、弁室の下部に弁座部材を取り付け、弁座部材に弁室を出口側に連通する排出通路を形成し、弁室内に弁座部材に離着座して排出通路の弁室側を開閉するフロートを配置したものにおいて、排出通路の出口側に感温部材と弁体を配置し、感温部材の変形作用により弁体を駆動して排出通路の出口側を低温時に開き蒸気漏出による高温時に閉じることを特徴とする。
【発明の効果】
【０００６】
本発明は、排出通路の出口側に感温部材と弁体を配置し、感温部材の変形作用により弁体を駆動して排出通路の出口側を低温時に開き蒸気漏出による高温時に閉じることにより、排出通路の弁室側のシール面とフロートとの間に噛み込んだ異物を取除くことができるという優れた効果を生じる。
【発明を実施するための最良の形態】
【０００７】
本発明のフロート式スチームトラップは、排出通路の出口側に感温部材と弁体を配置し、感温部材の変形作用により弁体を駆動して排出通路の出口側を低温時に開き蒸気漏出による高温時に閉じるものである。そのため、排出通路の弁室側のシール面とフロートとの間に異物を噛み込み、蒸気が排出通路の出口側に漏出すると、排出通路の出口側の温度が高温になり、感温部材が変形し弁体を駆動して排出通路の出口側を閉じる。排出通路の出口側が閉じられると弁室内に流入するドレンにより弁室内の液面が上昇してフロートが浮上する。その後、放熱により排出通路の出口側の温度が低下すると感温部材が変形し弁体を駆動して排出通路の出口側を開く。これにより、弁室内のドレンが排出通路の弁室側のシール面とフロートとの間の異物を取除きながら出口に排出される。
【実施例１】
【０００８】
上記の技術的手段の具体例を示す実施例を説明する（図１参照）。本体１に蓋２を締結して弁ケーシング形成し、内部に弁室４を形成する。本体１は入口５と出口通路６と出口７を有し、入口５は弁室４の上部に連通する。入口５と出口７は同一軸上に形成する。弁室４の下部の蓋２に排出通路８を開けた弁座部材９をねじ結合する。蓋２は出口通路１０を有し、弁室４の下部は排出通路８から出口通路１０，６を介して出口７に連通する。弁室４内に弁座部材９の弁室４側に離着座して排出通路８を開閉する中空球形のフロート１１を自由状態で配置する。フロート１１が排出通路８を閉じた位置で当接するフロート座１２をフロート１１の下方に、図面の手前側と向う側に２つ設ける。
【０００９】
弁座部材９の排出通路８の出口７側に感温部材１３と弁体１４を配置する。感温部材１３は注入口１５を有する下壁部材１６と、注入口１５を密封する栓部材１７と、下壁部材１６との間に膨脹媒体１８を密封するダイヤフラム部材１９と、ダイヤフラム部材１９の外周縁を下壁部材１６との間に挟んで溶接により固着する上壁部材２０から形成し、ダイヤフラム部材１９の排出通路８側に弁体１４を溶接により固着する。膨脹媒体１８は水よりも沸点の低いプロパノール等のアルコールあるいは水よりも沸点の低いアルコールの混合物あるいは水よりも沸点の低いアルコールと水との混合物から成り、排出通路８の出口２側の温度が低温時に収縮し蒸気漏洩による高温時に膨張する。感温部材１３は膨張媒体１８の膨張収縮によるダイヤフラム部材１９の変形により弁体１４を駆動して排出通路８の出口７側を低温時に開き蒸気漏洩による高温時に閉じる。感温部材１３は蓋２に取付けたバネ２１によって排出通路８側に付勢し、上壁部材２０の上面外周を蓋２の内周に形成した複数個のリブの段部で保持する。
【００１０】
入口５から流入したドレンは弁室４内に溜り、液面に応じてフロート１１が浮上降下して弁座部材９に離着座して排出通路８の弁室４側を開閉する。排出通路８が開けられると弁室４内のドレンが排出通路８、出口通路６，１０を通して出口７に排出され、排出通路８が閉じられると弁室４内の気体の漏出が防止される。
【００１１】
排出通路８の弁室４側のシール面とフロート１１との間に異物を噛み込み、蒸気が排出通路８の出口７側に漏出すると、排出通路８の出口７側の温度が高温になる。排出通路８の出口７側が高温になると、感温部材１３は膨張媒体１８が膨張してダイヤフラム部材１９が排出通路８側に変形し、弁体１４を駆動して排出通路８の出口７側を閉じる。排出通路８の出口７側が閉じられると弁室４内に流入するドレンにより弁室４内の液面が上昇してフロート１１が浮上する。その後、放熱により排出通路８の出口７側の温度が低下すると感温部材１３は膨張媒体１８が収縮してダイヤフラム部材１９が反排出通路側に変形し、弁体１４を駆動して排出通路８の出口７側を開く。これにより、弁室４内のドレンが排出通路８の弁室４側のシール面とフロート１１との間の異物を取除きながら出口７に排出される。
【図面の簡単な説明】
【００１２】
【図１】本発明のフロート式スチームトラップの断面図。
【符号の説明】
【００１３】
１  本体
２  蓋
４  弁室
５  入口
６，１０  出口通路
７  出口
８  排出通路
９  弁座部材
１１  フロート
１３  感温部材
１４  弁体
１８  膨張媒体
１９  ダイヤフラム部材
【図１】
2007218330.tif 000003